(57)【要約】【課題】コース距離が既知のコースを走行する走行車両の区間タイムを得る際、所望の区間を設定して区間タイムを算出することのできる走行車両の区間タイム算出方法、算出された区間タイムを用いた走行車両の評価方法及びタイヤの評価方法を提供する。【解決手段】コース上を走行する走行車両の時間間隔毎の車速データと時間間隔とをコンピュータを用いて乗算し、逐次累積することによって得られる積算値が、コース距離に等しくなるように車速データを補正し、この補正された車速データから走行距離データを算出し、コース上の所望の異なる２点に対応する走行距離データから、この２点に含まれるデータ数を求め、このデータ数と時間間隔を乗算することによって区間タイムを算出する。また、複数区間で求めた前記区間タイムの差の走行タイムに対する寄与率を算出し、走行車両及びタイヤの評価をする。【選択図】図２
2004219194.tif 000002
【特許請求の範囲】
【請求項１】
コース距離が既知のコース上を走行する走行車両の所定時間間隔毎の時系列の車速データから、コース上の所望の区間における前記走行車両の区間タイムをコンピュータを用いて算出する走行車両の区間タイム算出方法であって、
前記車速データと前記時間間隔とを乗算して累積した積算値が前記コース距離に等しくなるように補正係数を用いて前記車速データを補正するステップと、
前記補正係数を用いて補正された車速データと前記時間間隔とを乗算し、  逐次累積することによって、前記時間間隔毎のコース上の基準位置からの走行距離データを算出するステップと、
前記コース上の所望の異なる２点に対応する、コース上の前記基準位置からの距離をそれぞれ求め、この求められた距離に対応する走行距離データから前記２点間の区間に含まれるデータ数を求め、  このデータ数と前記時間間隔とを乗算することによって前記２点間の区間における前記走行車両の区間タイムを算出するステップと、を有することを特徴とする走行車両の区間タイム算出方法。
【請求項２】
前記走行車両は、複数の遊動輪および複数の駆動輪を有し、  各車両の回転数をサンプリング計測することによって各車輪の回転速度を得た後、  複数の遊動輪の回転速度のうち最大の回転速度と複数の駆動輪のうち最小の回転速度との平均値を、  前記車速データとすることを特徴とする請求項１に記載の走行車両の区間タイム算出方法。
【請求項３】
請求項１または２に記載の走行車両の区間タイム算出方法を用いて算出された所定の複数の区間における区間タイムのデータに基づいて走行車両の評価を行う走行車両の評価方法であって、
異なる走行車両を用いて走行した際の、コース走行タイムおよび複数の区間における区間タイムを得、
走行車両間のコース走行タイム差、  および、複数区間における走行車両の区間タイム差を算出し、  この区間タイム差の前記コース走行タイム差に対する寄与率を算出することによって、  走行車両の評価を行うことを特徴とする走行車両の評価方法。
【請求項４】
請求項１または２に記載の走行車両の区間タイム算出方法を用いて算出された所定の複数の区間における区間タイムのデータに基づいて走行車両の装着タイヤの評価を行うタイヤの評価方法であって、
走行車両の装着タイヤを変えて走行した際の、コース走行タイムおよび複数の区間における区間タイムを得、
装着タイヤ間のコース走行タイム差、  および、複数区間における装着タイヤ間の区間タイム差を算出し、  この区間タイム差の前記コース走行タイム差に対する寄与率を算出することによって、  装着タイヤの評価を行うことを特徴とするタイヤの評価方法。
【発明の詳細な説明】
【０００１】
【発明の属する技術分野】
本発明は、コース距離が既知、例えば公称周回コース距離が既知のコースを走行車両が走行した際のサンプリングデータを用いて、所望の区間タイムを算出する走行車両の区間タイム算出方法、走行車両の評価方法及びタイヤの評価方法に関する。
【０００２】
【従来の技術】
所定の周回コースを車両が複数回周回して走行タイムを競うモータスポーツの世界において、車両間の周回毎のラップタイム差を常に把握することは極めて重要である。また、周回コース上、予め設定された区間の通過時間、すなわち区間タイムを計測し、ラップタイム差に大きな影響を与えた区間タイムを分析することも、車両および装着タイヤの性能を評価する上でも重要である。
このような区間タイムは、設定された区間に人員を配置して、車両の通過時間を人手によりストップウォッチ等を用いて計測したり、複数のビーコンを所定の位置に設置して、区間タイムの計測を行なってきた。また、周回コース上の１地点にビーコンを設置してラップタイムの計測を行なってきた。
【０００３】
【発明が解決しようとする課題】
ところが、人手による区間タイムの計測は誤差が含まれ易く、また、ビーコンによる区間タイムの計測では、複数のビーコンを揃える必要がありコストがかかり、また、複数のビーコンを所定の位置にセットする等の煩雑な作業が必要となっていた。
そのため、区間タイムを計測をすることは困難な作業となっていた。特に、区間を所望の位置に切り換えて区間タイムを求め直すことは不可能であった。
【０００４】
今日、車両の旋回特性、制動特性、ＷＥＴ性能の要求されるレース用タイヤの開発においては、区間タイムを求め、特定の区間に注目してその区間において発生している現象が区間タイムにどのように影響するのか、分析することが不可欠となっている。
しかし、上述したように、レース用タイヤの開発にとって重要な区間タイムを正確に求めることは困難である。
このような問題は、レース用タイヤ開発のみならず、車両やエンジンの開発においても同様に発生する。
【０００５】
そこで、本発明は、上記問題点を解決すべく、周回コースを走行する走行車両の区間タイムを得る際、人手による計測や、複数のビーコンを配置して計測を行なうことなく、所望の区間を設定して区間タイムを算出することのできる走行車両の区間タイム算出方法、この算出方法を用いて算出された区間タイムを用いた走行車両の評価方法及びタイヤの評価方法を提供することを目的とする。
【０００６】
【課題を解決するための手段】
前記課題を解決するために、  本発明は、コース距離が既知のコース上を走行する走行車両の所定時間間隔毎の時系列の車速データから、コース上の所望の区間における前記走行車両の区間タイムをコンピュータを用いて算出する走行車両の区間タイム算出方法であって、前記車速データと前記時間間隔とを乗算して累積した積算値が前記コース距離に等しくなるように補正係数を用いて前記車速データを補正するステップと、前記補正係数を用いて補正された車速データと前記時間間隔とを乗算し、  逐次累積することによって、前記時間間隔毎のコース上の基準位置からの走行距離データを算出するステップと、前記コース上の所望の異なる２点に対応する、コース上の前記基準位置からの距離をそれぞれ求め、この求められた距離に対応する走行距離データから前記２点間の区間に含まれるデータ数を求め、  このデータ数と前記時間間隔とを乗算することによって前記２点間の区間における前記走行車両の区間タイムを算出するステップと、を有することを特徴とする走行車両の区間タイム算出方法を提供する。
【０００７】
また、前記走行車両は、複数の遊動輪および複数の駆動輪を有し、  各車両の回転数をサンプリング計測することによって各車輪の回転速度を得た後、  複数の遊動輪の回転速度のうち最大の回転速度と複数の駆動輪のうち最小の回転速度との平均値を、  前記車速データとすることが好ましい。
【０００８】
また、本発明は、前記走行車両の区間タイム算出方法を用いて算出された所定の複数の区間における区間タイムのデータに基づいて走行車両の評価を行う走行車両の評価方法であって、異なる走行車両を用いて走行した際の、コース走行タイムおよび複数の区間における区間タイムを得、走行車両間のコース走行タイム差、  および、複数区間における走行車両の区間タイム差を算出し、  この区間タイム差の前記走行タイム差に対する寄与率を算出することによって、  走行車両の評価を行うことを特徴とする走行車両の評価方法を提供する。
【０００９】
また、本発明は、前記走行車両の区間タイム算出方法を用いて算出された所定の複数の区間における区間タイムのデータに基づいて走行車両の装着タイヤの評価を行うタイヤの評価方法であって、走行車両の装着タイヤを変えて走行した際の、コース走行タイムおよび複数の区間における区間タイムを得、装着タイヤ間のコース走行タイム差、  および、複数区間における装着タイヤ間の区間タイム差を算出し、  この区間タイム差の前記コース走行タイム差に対する寄与率を算出することによって、  装着タイヤの評価を行うことを特徴とするタイヤの評価方法を提供する。
【００１０】
【発明の実施の形態】
以下、添付の図面に示される好適実施例をもとに、本発明の区間タイム算出方法、走行車両の評価方法及びタイヤの評価方法について詳細に説明する。
なお本実施例では、コース上を走行する車両は複数の遊動輪および複数の駆動輪を有するが、本発明はこれに限定されず、例えば２輪の車両であってもよい。なお、  車両は図１に示される周回コース上を走行する場合を例として説明する。
なお、図１において、区間Ａはコース上の地点Ｏ、Ｐに挟まれる区間であり、区間Ｂはコース上の地点Ｐ、Ｑに挟まれる区間であり、区間Ｃはコース上の地点Ｑ、Ｒに挟まれる区間であり、区間Ｄはコース上の地点Ｒ、Ｓに挟まれる区間であり、区間Ｅはコース上の地点Ｓ、Ｔに挟まれる区間であり、区間Ｆはコース上の地点Ｔ、Ｕに挟まれる区間であり、区間Ｇはコース上の地点Ｕ、Ｖに挟まれる区間であり区間Ｈはコース上の地点Ｖ、Ｏに挟まれる区間を示している。
【００１１】
図２は本発明の走行車両の区間タイム算出方法および走行車両の評価方法を実施する区間タイム算出システム（以下本システムという）の一例を示すブロック図である。
本システムは計測装置１０、演算処理装置２０を有して構成され、  演算処理装置２０は入力部３０、車速データ算出部４０、区間タイム算出部５０、記憶部６０、表示部７０を有して構成される。
計測装置１０はコース上を走行する車両の各車輪の回転速度および車両が周回コース上を周回するコース走行タイム（以下ラップタイムという）を計測するために用いられる部分であり、図１に示される周回コース上の基準位置（地点Ｏ）に設置した発光手段からの光を受光する受光部１２を有し、車両に設置される。演算処理装置２０は例えば演算処理室に設置され、計測装置１０で計測されたデータや入力部３０より入力したデータを演算処理装置４０で演算処理することにより所望の区間タイム等を算出する部分である。
ここで車速データ算出部４０、区間タイム算出部５０はコンピュータによってそれぞれ車速データ、区間タイム等を算出するためのプログラムを起動することによって機能する部分である。
【００１２】
計測装置１０は各車輪の回転数を例えば２０〜５０Ｈｚのサンプリング周波数により所定時間間隔（サンプリング時間間隔）Δｔ毎に時系列にサンプリング計測する。
また、計測装置１０および周回コース上に発光手段は実開平６−８１０５６号公報に開示される装置（以下ラップタイム算出装置という）と同様の構成を有する。すなわち車両が発光手段の発する赤外線等の光路を横切る時に、受光部１２で受光し、次に車両が周回コースを一周し、  再び発光手段の光路を横切る時に、同様に赤外線等の光路を受光し、パルス信号を計測装置１０のデータとして記録する装置である。記録したパルス信号の時間間隔を求めることにより、  ラップタイムとして計測することができる。
ここで、各車輪のサンプリング計測された回転数とラップタイムのパルス信号は計測データとして同時に記録することができる。このため周回ごとにサンプリング計測された各車輪の回転数のデータは周回ごとのラップタイムと関連づけられるようになっている。
なお、本実施例では、各車輪の回転数に基づいて車速データを算出するが、本発明はこれに限定されず、例えば、光学式計測器を用いて計測した車速データであってもよい。
また、本実施例ではラップタイムを実開平６−８１０５６号公報に開示されるラップタイム算出装置と同様の装置を用いて算出するが、本発明はこれに限定されず例えば人手によりストップウォッチを用いて計測してもよい。
計測装置１０で取得された各車輪の回転速度のデータは車速データ算出部４０に送られ、パルス信号は区間タイム算出部５０に送られる。
【００１３】
入力部３０は、速度データの算出に必要なタイヤの転がり半径、補正係数の算出に必要な周回コース距離、区間を特定するコース上の異なる２点を入力する部分であり、図示はしないが、キーボードやマウスを有して構成される。  入力されたタイヤの転がり半径は車速データ算出部４０で車速データの算出のために用いられ、周回コース距離および異なる２点は区間タイム算出部５０で用いられる。
【００１４】
車速データ算出部４０は測定部１０によりサンプリング計測された回転数と入力部３０から入力される各車輪の転がり半径を用いて、車両のサンプリング時間間隔Δｔ毎の時系列速度である車速データを算出する部分である。
ここで、車速データ算出部４０は各車輪の回転数から各車輪の転がり半径を用いて各車輪の回転速度を算出した後、複数の遊動輪の回転速度のうち最大の回転速度と、複数の駆動輪のうち最小の回転速度との平均値をサンプリング計測毎ごとに算出し、この平均値を車速データとする。
【００１５】
このように遊動輪の回転速度の最大値を用いるのは、遊動輪はタイヤが水膜の上に乗って制御が効かなくなるハイドロプレーニング現象がおきた場合に回転数が低下し、あたかも回転速度が低下して走行速度が低下したと判断しないようにするためである。また駆動輪の回転数の最小値を用いるのは駆動輪はホイールスピンを起こし回転数が上昇し、  走行速度が上昇したと判断しないようにするためである。
また、各駆動輪の内最小の回転速度と各遊動輪の内最大の回転速度の平均値を算出するのは車輪の回転数に起因する区間タイム等の誤差を少なくするためである。
ここで、各車輪の転がり半径は走行中の各車輪にかかる荷重に対応して変化するため、車両のサスペンション等に取り付けた荷重センサを用いて各車輪にかかる荷重も同時にサンプリングし、サンプリングされるたびに計測された各車輪の回転数と、各車輪にかかる荷重から求まる転がり半径とを用いて各車輪の回転速度を算出すれば、更に誤差のない区間タイム等を算出できる。
また、転がり半径は荷重のほかタイヤのたわみ量にも対応して定めることができるので、各車輪のタイヤのたわみ量から求まる転がり半径を用いてもよい。タイヤのたわみ量は、例えば、車高センサとダンパーのストロークセンサにより求めた車高とダンパーストロークの変位から求めることができる。
また、転がり半径は、タイヤ回転軸と路面間の距離を転がり半径としてもよいし、タイヤ１回転分の移動距離として定義される有効転がり半径を用いてもよい。
いずれにしても、転がり半径と荷重またはタイヤのたわみ量との関係を予め測定等により求めておき、荷重またはたわみ量から転がり半径を自動的に算出するように構成するとよい。
【００１６】
区間タイム算出部５０は、区間タイム等をコンピュータの演算処理ユニットを用いて算出する。
記憶部６０は計測装置１０、入力部３０、車速データ算出部４０より入力されたデータおよび区間タイム算出部５０で算出された各種データを記憶する部分である。  表示部７０は区間タイム算出部５０により算出された区間タイム等を表示する部分である。
【００１７】
次に、区間タイム算出部５０で実施される本発明の走行車両の区間タイム算出方法により区間タイムが算出されるまでの手順を詳細に説明する。
【００１８】
区間タイム算出部５０はまず補正係数を算出し、車速データ算出部４０で算出された車速データにこの補正係数を乗算した補正データを算出する。
まず下記式（１）で表すように、車速データＶｎ  に所定時間間隔Δｔを乗算し、車速データＶｎ  のサンプリング時の走行距離ΔＬｎ  を算出する。
ΔＬｎ  ＝Ｖｎ  ×Δｔ、（ｎ＝１〜Ｎ）                        （１）
ここでＮはコース上を周回する１周分の車速データＶｎ  のデータ数である。
なお、１周分の車速データＶｎ  とは車両がコースを１周する間に計測された所定時間間隔Δｔごとの時系列速度データである。
次に下記式（２）で表すように各サンプリング時の走行距離ΔＬｎ  を逐次累積して基準位置（地点Ｏ）から車両の走行距離データＬｎ  を算出する。
Ｌｎ  ＝ΔＬｎ  ＋Ｌｎ−１  、（ｎ＝１〜Ｎ）                      （２）
さらに周回コース距離Ｌを走行距離ＬＮ  で除算して上記補正係数を算出する。  そして下記式（３）で表すように車速データＶｎ  に補正係数を乗算して補正データｖｎ  を算出する。
補正データｖｎ  ＝Ｖｎ  ×補正係数＝Ｖｎ  ×Ｌ／ＬＮ            （３）
【００１９】
区間タイム算出部５０は次に補正データｖｎ  を用いて基準位置からの所定時間間隔Δｔ毎の走行距離データを算出する。基準位置はコース上の所望の位置を基準位置からの距離により表すために用いられるものであり、本実施例では図１に示すように発光手段が設置される位置（地点Ｏ）、一般的にはラップタイムを計測する位置を、基準位置とするのが好ましい。
まず下記式（４）で表すように、補正データｖｎ  に所定時間間隔Δｔを乗算し、補正データｖｎ  の各所定時間間隔Δｔ毎の走行距離Δｌｎ  を算出する。
Δｌｎ  ＝ｖｎ  ×Δｔ、（ｎ＝１〜Ｎ）                        （４）
次に下記式（５）で表すように各所定時間間隔Δｔ毎の走行距離Δｌｎ  を逐次累積して車両の走行距離データｌｎ  を算出し、この走行距離データｌｎ  を記憶部６０に記憶させる。
ｌｎ  ＝Δｌｎ  ＋ｌｎ−１  、（ｎ＝１〜Ｎ）                      （５）
【００２０】
区間タイム算出部５０はその次に区間タイムを算出する。
まず入力部３０により入力された周回上の異なる２点（Ｘ点、Ｙ点）を基準位置からの距離によって定める。ここで基準位置とＸ点の距離をＬＡ  とし、基準位置とＹ点の距離をＬＢ  とする。ただしＬＢ  ＞ＬＡ  とする。
次に、ｌｎ  ≒ＬＡ  となるｎ（ｎ＝ａ）、ｌｎ  ≒ＬＢ  となるｎ（ｎ＝ｂ）を算出する。ここではａ，ｂは基準位置においてｎ＝０とした時の車速データのデータの番号である。すなわち、Ｘ点は基準位置から数えてａ番目のデータに対応する。
ａ、ｂの算出は、例えばｌｎ  ≧ＬＡ  、ｌｎ  ≧ＬＢ  となる最小のｎの値として、ａ、ｂを算出してもよいし、ｌｎ  ≦ＬＡ  、ｌｎ  ≦ＬＢ  となる最大のｎの値としてａ、ｂを算出してもよい。
最後に、下記式（６）で表すようにＸ点におけるデータ数ａ、Ｙ点におけるデータ数ｂの差（ｂ−ａ）に所定時間間隔Δｔを乗算することによって、車両がＸ点からＹ点までの走行に要した区間タイムｔａｂを算出する。
ｔａｂ＝（ｂ−ａ）×Δｔ                                    （６）
なお、所定時間間隔Δｔごとに累積される車両の走行距離データｌｎ  は式（５）から明らかなように不連続となるが、車両の走行速度を最高３００ｋｍ／時としても、所定時間間隔Δｔが１／５０秒の場合、  所定時間隔毎の車両の移動はせいぜい１．６７ｍである。すなわち、Δｌｎ  はせいぜい１〜２ｍである。
【００２１】
このような区間タイム算出方法より算出され区間タイムは従来の人手による計測に比べ誤差が少なく、また複数のビーコンを設置する必要が無い。  さらに、記憶部６０は区間タイムの算出に必要なデータを記憶しているため、入力部３０より所望の異なる２点を入力するごとに異なる区間の区間タイムを求めなおすことが可能となる。
【００２２】
なお、本実施例では車速データ算出部４０で算出された車速データＶｎ  を補正係数を用いて補正し、補正した補正データｖｎ  を用いて演算することにより区間タイムを算出したが、本発明はこれに限定されず車速データ算出部４０で算出された車速データＶｎ  の補正が不要の場合は、補正することなく直接車速データＶｎ  から区間タイムを算出してもよい。
【００２３】
以上、本発明の区間タイム算出方法を詳細に説明したが、次に本発明の区間タイム算出方法を用いたタイヤの評価方法について詳細に説明する。
なおタイヤ仕様Ｘ１  のタイヤを装着した車両Ｗ１  と、タイヤ仕様Ｘ２  のタイヤを装着した車両Ｗ２  を比較して、車両Ｗ１  と車両Ｗ２  の相対評価を行う例に基づいて、本発明のタイヤの評価方法を説明する。ここで、車両Ｗ１  と車両Ｗ２  とは装着されるタイヤを除き同一のものである。
【００２４】
区間タイム算出部５０は区間タイム算出方法により算出した区間タイムから区間タイム差、ラップタイム差、寄与率を算出する。
ここで、区間タイム差とは同一区間におけるタイヤごとの区間タイムのタイム差のことであり、ラップタイム差とはタイヤごとのラップタイムのタイム差のことであり、寄与率とは各区間の区間タイム差がラップタイム差に占める割合のことをいう。
【００２５】
区間タイム算出部５０は下記式（７）で表すようにまず車両Ｗ２  のラップタイムＴ２  から車両Ｗ１  のラップタイムＴ１  を減算して、ラップタイム差ΔＴを算出する。
ΔＴ＝Ｔ２  −Ｔ１                                            （７）
次に下記式（８）で表すように車両Ｗ２  の各区間区間Ａ、区間Ｂ、・・・における区間タイムｔａｂ２  、ｔｂｃ２  、・・・から車両Ｗ１  の各区間タイムｔａｂ１  、ｔｂｃ１  、・・・を減算して各区間区間Ａ、区間Ｂ、・・・ごとの区間タイム差Δｔａｂ、Δｔｂｃ、・・・を算出する。
Δｔａｂ＝ｔａｂ２  −ｔａｂ１  、Δｔｂｃ＝ｔｂｃ２  −ｔｂｃ１  、・・・    （８）
さらに下記式（９）で表すように各区間区間Ａ、区間Ｂ、・・・ごとの区間タイム差Δｔａｂ、Δｔｂｃ、・・・をラップタイム差ΔＴで除算して各区間の寄与率を算出する。
寄与率＝Δｔａｂ／ΔＴ、Δｔｂｃ／ΔＴ、・・・                （９）
【００２６】
図３、図４は図１に示される周回コースを車両Ｗ１  、車両Ｗ２  、タイヤ仕様Ｘ３  のタイヤを装着した車両Ｗ３  、タイヤ仕様Ｘ４  のタイヤを装着した車両Ｗ４  の各々が走行した場合に算出された区間タイム、ラップタイム、区間タイム差、寄与率を表示部７０に表示した一例である。  ここで、車両Ｗ１  、車両Ｗ２  、車両Ｗ３  、車両Ｗ４  は装着されるタイヤを除き同一のものである。
【００２７】
図３の例では車両Ｗ１  と車両Ｗ２  の区間タイム差は区間Ａで顕著であることがわかる。区間Ａは高速から低速への制動区間であることより、  車両Ｗ２  は車両Ｗ１  に対し制動性能が大幅に向上していることがわかる。  図４の例では車両Ｗ３  と車両Ｗ４  の区間タイム差は区間Ｃで顕著であることが分かる。区間Ｃは中高速域の旋回区間であることより、  車両Ｗ４  は車両Ｗ３  に対し旋回性能が大幅に向上していることがわかる。  このようにして走行車両に装着されたタイヤの性能の評価を行うことができる。
【００２８】
このように、比較するタイヤ間で、どの区間にタイム差が生じているかが容易に把握できるようになる。また、このような区間タイム差および寄与率から、制動性能、  旋回制動に特徴のあることを認識でき、  例えば制動性能を大幅に向上するタイヤ仕様Ｘ２  について、室内試験により制動時のμ−ｓ特性を計測しタイヤの設計要素に反映させたり、  タイヤ仕様Ｘ２  の制動時の挙動をカメラで撮像し、観察することもできる。
【００２９】
また、本実施例では、同一車両に異なるタイヤ仕様Ｘ１  とタイヤ仕様Ｘ２  を装着させた場合のタイヤの評価方法であるが、本発明はこれに限定されず、異なる車両を用いて走行した際の、コース走行タイムおよび複数の区間における区間タイムを上述した方法で得、車両間のコース走行タイム差、  および、複数区間における車両の区間タイム差を算出し、  この区間タイム差のコース走行タイム差に対する寄与率を算出することによって、  車両の評価を行なうこともできる。
【００３０】
【発明の効果】
以上詳細に説明したように、本発明は、車速データをコンピュータを用いて所定の計算を行なうことにより、人手による計測や複数のビーコンを配置して計測を行なうことなく所望の区間の区間タイムを効率よく算出することができる。さらに、区間タイム差の走行タイムに対する寄与率を算出することにより、走行車両またタイヤの性能を比較評価することができる。
【図面の簡単な説明】
【図１】本発明の区間タイム算出方法で用いるサーキットの一例を示すコース図である。
【図２】本発明の区間タイム算出方法を実施するシステムの一例の概略の構成を示すブロック図である。
【図３】本発明のタイヤの評価方法により得られた区間タイム差、寄与率の一例を示す図である。
【図４】本発明のタイヤの評価方法により得られた区間タイム差、寄与率の他の例を示す図である。
【符号の説明】
１０  計測装置
２０  演算処装置
３０  入力部
４０  車速データ算出部
５０  区間タイム算出部
６０  記憶部
７０  表示部
【図１】
2004219194.tif 000003
【図２】
2004219194.tif 000004
【図３】
2004219194.tif 000005
【図４】
2004219194.tif 000006